(57)【特許請求の範囲】
【請求項１】
第１の無線通信技術に従って第１の局と無線で通信するように構成される第１の無線機と、
第２の無線通信技術に従って第２の局と無線で通信するように構成される第２の無線機と、
（ｉ）前記第２の局から前記第２の無線機への通信を受信することを優先して、前記第１の無線機から前記第１の局への通信を送信するためのスケジュールされた時間の部分を終端処理し、（ｉｉ）前記第１の無線機から前記第１の局への通信を送信するための全ての利用可能なスケジュールされた時間の部分のうちのどれが終端処理のために提供されるかを、前記利用可能なスケジュールされた時間の部分のそれぞれにおいて送信されるデータのタイプについての情報に基づいて制限するように構成されるコントローラと
を備え、
前記コントローラは、前記第２の局から前記第２の無線機への通信を受信することを優先して終端処理に利用可能にされる前記スケジュールされた時間の部分から、複数の期間を除外するように構成され、
除外される前記複数の期間は、前記第１の無線機から前記第１の局への複数の肯定応答（ＡＣＫ）の伝送のためにスケジュールされた全ての期間、及びチャンネル状態情報（ＣＳＩ）の伝送のためにスケジュールされた複数の期間の少なくとも一部を備えるデバイス。
【請求項２】
第１の無線通信技術に従って第１の局と無線で通信するように構成される第１の無線機と、
第２の無線通信技術に従って第２の局と無線で通信するように構成される第２の無線機と、
（ｉ）前記第２の局から前記第２の無線機への通信を受信することを優先して、前記第１の無線機から前記第１の局への通信を送信するためのスケジュールされた時間の部分を終端処理し、（ｉｉ）前記第１の無線機から前記第１の局への通信を送信するための全ての利用可能なスケジュールされた時間の部分のうちのどれが終端処理のために提供されるかを、前記利用可能なスケジュールされた時間の部分のそれぞれにおいて送信されるデータのタイプについての情報に基づいて制限するように構成されるコントローラと
を備え、
前記利用可能なスケジュールされた時間の部分は、複数のサブフレームであり、
前記コントローラは、異なる複数のＨＡＲＱプロセスの間で、複数のアップリンクサブフレームのパンクチャを均等に分配するために、パンクチャのために利用可能にされる前記複数のアップリンクサブフレームを制限するように構成されるデバイス。
【請求項３】
前記情報は、複数のハイブリッド自動再送要求（ＨＡＲＱ）プロセス及びアップリンク制御情報（ＵＣＩ）を備える、請求項１または２に記載のデバイス。
【請求項４】
前記コントローラは、前記第１の局からの協力なしで、前記第１の無線機を用いる前記デバイスと前記第１の局との間の再送要求プロトコルにおける全ての再送機会を用いないことによって、終端処理に利用可能である前記スケジュールされた時間の部分を制限するように構成される、請求項１から３のいずれか一項に記載のデバイス。
【請求項５】
前記コントローラは、複数のＨＡＲＱプロセスに基づいて、終端処理に利用可能である前記スケジュールされた時間の部分を制限するように構成される、請求項１から４のいずれか一項に記載のデバイス。
【請求項６】
前記第１の無線通信技術は、ＬＴＥ（Long-Term Evolution）無線通信技術である、請求項５に記載のデバイス。
【請求項７】
前記利用可能なスケジュールされた時間の部分は、複数のサブフレームである、請求項１に記載のデバイス。
【請求項８】
前記コントローラは、異なる複数のＨＡＲＱプロセスの間で、複数のアップリンクサブフレームのパンクチャを均等に分配するために、パンクチャのために利用可能にされる前記複数のアップリンクサブフレームを制限するように構成される、請求項７に記載のデバイス。
【請求項９】
メモリ
を備え、
前記コントローラは、前記メモリに格納される複数の結果に基づいて、パンクチャのために利用可能にされる複数のアップリンクサブフレームを制限するように構成され、
前記複数の結果は、複数のＨＡＲＱプロセスに基づく複数のパンクチャパターンに対する事前のオフラインサーチのものである、請求項２、７または８のいずれか一項に記載のデバイス。
【請求項１０】
前記情報は、アップリンク制御情報（ＵＣＩ）を備え、
前記コントローラは、前記第１の局から前記第１の無線機への通信のダウンリンク性能の劣化を低減するために、前記ＵＣＩに基づいて、終端処理に利用可能である前記スケジュールされた時間の部分を制限するように構成される、請求項１から９のいずれか一項に記載のデバイス。
【請求項１１】
前記コントローラは、前記第２の局から前記第２の無線機への通信を受信することを優先して終端処理に利用可能にされる前記スケジュールされた時間の部分から、複数の期間を除外するように構成され、
除外される前記複数の期間は、前記第１の無線機から前記第１の局への複数の肯定応答（ＡＣＫ）の伝送のためにスケジュールされた全ての期間、及びチャンネル状態情報（ＣＳＩ）の伝送のためにスケジュールされた複数の期間の少なくとも一部を備える、請求項２に記載のデバイス。
【請求項１２】
単一の通信デバイスにおいて共存する２又はより多い無線機のために実行される方法であって、
前記単一の通信デバイスが前記２又はより多い無線機のうちの第１の無線機を用いて、第１の局と通信する前記第１の無線機に対して指定される複数のアップリンク期間においてデータを送信する段階と、
前記第１の無線機のためのアップリンク制御情報に基づいて、前記第１の局と通信する前記第１の無線機に対して指定される複数のアップリンク期間の適切な部分集合を決定する段階と、
前記第１の局と通信する前記第１の無線機に対して指定される残りの複数のアップリンク期間より、複数のアップリンク期間の前記適切な部分集合のパンクチャを優先する段階と、
前記単一の通信デバイスが、パンクチャのための複数のアップリンク期間の前記適切な部分集合のうちの１又は複数を選択する段階と、
前記単一の通信デバイスが前記２又はより多い無線機のうちの第２の無線機を用いて、前記１又は複数のパンクチャされたアップリンク期間の間に、第２の局からデータを受信する段階と
を備え、
前記優先する段階は、パンクチャのために利用可能なものから、（ｉ）前記第１の無線機から前記第１の局への複数の肯定応答（ＡＣＫ）に用いられる全てのアップリンク期間、及び（ｉｉ）チャンネル状態情報（ＣＳＩ）に用いられる複数のアップリンク期間の少なくとも一部を除外する段階を備える方法。
【請求項１３】
単一の通信デバイスにおいて共存する２又はより多い無線機のために実行される方法であって、
前記単一の通信デバイスが前記２又はより多い無線機のうちの第１の無線機を用いて、第１の局と通信する前記第１の無線機に対して指定される複数のアップリンク期間においてデータを送信する段階と、
前記第１の無線機のためのアップリンク制御情報に基づいて、前記第１の局と通信する前記第１の無線機に対して指定される複数のアップリンク期間の適切な部分集合を決定する段階と、
前記第１の局と通信する前記第１の無線機に対して指定される残りの複数のアップリンク期間より、複数のアップリンク期間の前記適切な部分集合のパンクチャを優先する段階と、
前記単一の通信デバイスが、パンクチャのための複数のアップリンク期間の前記適切な部分集合のうちの１又は複数を選択する段階と、
前記単一の通信デバイスが前記２又はより多い無線機のうちの第２の無線機を用いて、前記１又は複数のパンクチャされたアップリンク期間の間に、第２の局からデータを受信する段階と
を備え、
前記複数のアップリンク期間は、複数のアップリンクサブフレームであり、前記優先する段階は、異なる複数のハイブリッド自動再送要求（ＨＡＲＱ）プロセスの間で、前記複数のアップリンクサブフレームのパンクチャを均等に分配する段階を備える方法。
【請求項１４】
前記決定する段階は、複数の再送要求プロセスに少なくとも部分的に基づいて、前記適切な部分集合を決定する段階を備える、請求項１２または１３に記載の方法。
【請求項１５】
前記決定する段階は、前記単一の通信デバイスが、前記第１の無線機を用いる前記単一の通信デバイスと前記第１の局との間の再送要求プロトコルにおける全ての再送機会を自律的に用いない段階を備える、請求項１２から１４のいずれか一項に記載の方法。
【請求項１６】
前記複数のアップリンク期間は、複数のアップリンクサブフレームであり、前記優先する段階は、異なる複数のハイブリッド自動再送要求（ＨＡＲＱ）プロセスの間で、前記複数のアップリンクサブフレームのパンクチャを均等に分配する段階を備える、請求項１２から１５のいずれか一項に記載の方法。
【請求項１７】
前記決定する段階は、複数のハイブリッド自動再送要求（ＨＡＲＱ）プロセスに基づく複数のパンクチャパターンに対するオフラインサーチの結果である前記適切な部分集合を取得する段階を備え、
前記優先する段階は、前記適切な部分集合における複数のアップリンク期間だけをパンクチャのために利用可能にさせる段階を備える、請求項１２から１６のいずれか一項に記載の方法。
【請求項１８】
前記優先する段階は、複数のアップリンク期間のパンクチャからもたらされる前記第１の局から前記第１の無線機への通信のダウンリンク性能の劣化を低減する段階を備える、請求項１２から１７のいずれか一項に記載の方法。
【請求項１９】
前記優先する段階は、パンクチャのために利用可能なものから、（ｉ）前記第１の無線機から前記第１の局への複数の肯定応答（ＡＣＫ）に用いられる全てのアップリンク期間、及び（ｉｉ）チャンネル状態情報（ＣＳＩ）に用いられる複数のアップリンク期間の少なくとも一部を除外する段階を備える、請求項１３に記載の方法。
【発明の詳細な説明】
【背景技術】
【０００１】
［関連出願の相互参照］  本出願は、２０１３年４月１日に出願された、発明の名称が「ＩＤＣを促進するための干渉する複数のＵＬサブフレームのパンクチャ」である米国仮出願シリアル番号６１／８０７，１４９の優先権の恩恵を請求し、それは、その全体において参照によって本明細書に組み込まれる。
【０００２】
本開示は、１より多い無線通信技術を採用する複数のデバイスによる無線通信に関連する複数のシステム及び複数の技術を説明する。
【０００３】
複数の無線通信デバイスは、例えば、符号分割多重アクセス（ＣＤＭＡ）、直交周波数分割多重（ＯＦＤＭ）、シングルキャリア周波数分割多重アクセス（ＳＣ−ＦＤＭＡ）、及び時分割同期符号分割多重アクセス（ＴＤ−ＳＣＤＭＡ）等の１又は複数の無線通信技術を用いることができる。複数の無線技術の他の例は、ＷＣＤＭＡ（登録商標）（Wideband Code Division Multiple Access）、ＣＤＭＡ２０００、ＵＭＴＳ（Universal Mobile Telecommunications System）、ＧＳＭ（登録商標）（Global System for Mobile communications）、High Speed Packet Access（ＨＳＰＡ）、ＷｉＭＡＸ（Worldwide Interoperability for Microwave Access）、ＬＴＥ（Long-Term Evolution、多くの場合、４Ｇと称される）、ＷｉＦｉ（wireless local area network standards）、及びブルートゥース（ＢＴ）を含む。複数の無線通信デバイスの様々な例は、複数の携帯電話、複数のスマートフォン、複数の無線ルータ、複数の無線ハブ、複数の基地局、及び複数のアクセスポイントを含む。いくつかの場合において、複数の無線通信電子装置は、例えば、複数のラップトップ、複数のパーソナルデジタルアシスタント、及び複数のコンピュータ等のデータ処理機器に統合される。
【０００４】
無線デバイス（又はエンドツーエンド通信を提供するデバイスの一部）は、ＵＭＴＳ及び３ＧＰＰ  ＬＴＥにおいて、多くの場合、ユーザ機器（ＵＥ）と称される。いくつかの無線ネットワークにおいて、各無線デバイスは、デバイスと局との間の無線通信のために、例えば、進化型ＮｏｄｅＢ（ｅＮＢ）等の１又は複数の基地局に同期する。そのようなネットワークにおいて通信されるユーザデータに加えて、ネットワーク管理データも通信され、それは、ダウンリンク（ＤＬ）及びアップリンク（ＵＬ）制御情報の両方を含む。例えば、ＬＴＥは、アップリンク制御情報（ＵＣＩ）及びハイブリッド自動再送要求（ＨＡＲＱ）再送プロトコルを用いる。
【０００５】
ＨＡＲＱにおいて、例えば、複数の前方誤り訂正（ＦＥＣ）ビット等の複数の誤り訂正ビットは、データ伝送に含まれる。メッセージが受信される場合、誤り検出情報は、メッセージのデコードに対する成功又は失敗を特定するために用いられることができる。無線通信デバイスは、デコードの成功又は失敗に基づいて、肯定応答（ＡＣＫ）又は否定応答（ＮＡＣＫ）を送信できる。これは、メッセージの送信機に、メッセージが成功裏に受信されたか、又は再送されるべきかを知らせる。メッセージは、必要に応じて何回でも、再送されることができるが、典型的な複数の無線ネットワークにおいて、試される再送の数に設けられる制限がある。
【０００６】
さらに、典型的な無線デバイスは、２又はより多い無線技術を実装するので、同一のデバイスにおいて互いと共存する必要がある複数の無線機を有する。例えば、ＬＴＥ  ＵＥは、デバイスにおいて、他の複数の無線機と共存してよく、それは、ＬＴＥにおいて、デバイス内共存（ＩＤＣ）として知られている。ＬＴＥ及び他の複数の無線機の複数の動作帯域が近すぎる場合、他の複数の無線機の受信性能は、ＵＥからのＬＴＥアップリンク伝送によって著しく劣化させられ得る。例としては、（ＢＴ及びＷｉＦｉのための）２４００−２４８０ＭＨｚにおけるＩＳＭ（Industrial Scientific and Medical）帯域、及び２３００−２４００ＭＨｚにおけるＬＴＥ帯域４０である。従って、別の無線機が重要な情報を受信している間、ＬＴＥ  ＵＥが伝送を停止できるように、ＬＴＥと他の複数の無線機との間のいくつかの協調が望まれる。
【０００７】
そのような協調に対する現在の複数の取り組みは、（１）ＬＴＥ  ＵＥ伝送及び他の複数の無線機の受信が同時に起こることができるような、複数のガードバンド及びフィルタリングの使用、（２）他の複数の無線機によって受信されなければならないいくつかの重要情報がある場合、デバイスコントローラが複数のＬＴＥアップリンクサブフレームをパンクチャする（即ち、ＬＴＥアップリンク伝送を中断する）ような、優先度ベースのパンクチャ、（３）より進歩したｅＮＢが、それの複数のアップリンクサブフレームが情報を送信するためにスケジュールされていないＬＴＥ  ＵＥに通知できるような、スケジュールされたパンクチャ、及び（４）デバイスコントローラが複数のアップリンクサブフレームをランダムにパンクチャし、これらのサブフレームにおいて他の複数の無線機に受信させるような、ランダムなパンクチャを含む。さらに、例えば、ＢＴを伴うＬＴＥ等の複数の無線技術の共存は、それぞれの無線技術のサブフレーム及びスロットの複数の境界のアライメントから恩恵を受けるであろうことが示唆されている。
【発明の概要】
【０００８】
本開示は、無線通信に関連する複数のシステム及び複数の技術を説明する。説明される複数のシステム及び複数の技術のうちのある態様によれば、デバイスは、第１の無線通信技術に従って第１の局と無線で通信するように構成される第１の無線機と、第２の無線通信技術に従って第２の局と無線で通信するように構成される第２の無線機と、（ｉ）第２の局から第２の無線機への通信を受信することを優先して、第１の無線機から第１の局への通信を送信するためのスケジュールされた時間の部分を終端処理し、（ｉｉ）第１の無線機から第１の局への通信を送信するための全ての利用可能なスケジュールされた時間の部分のうちのどれが終端処理のために提供されるかを、利用可能なスケジュールされた時間の部分のそれぞれにおいて送信されるデータのタイプについての情報に基づいて制限するように構成されるコントローラとを含む。
【０００９】
デバイスによって用いられる情報は、複数のハイブリッド自動再送要求（ＨＡＲＱ）プロセス及びアップリンク制御情報（ＵＣＩ）を含むことができる。コントローラは、第１の局からの協力なしで、第１の無線機を用いるデバイスと第１の局との間の再送要求プロトコルにおける全ての再送機会を用いないことによって、終端処理に利用可能であるスケジュールされた時間の部分を制限するように構成されることができる。さらに、コントローラは、複数のＨＡＲＱプロセスに基づいて、終端処理に利用可能であるスケジュールされた時間の部分を制限するように構成されることができる。
【００１０】
第１の無線通信技術は、ＬＴＥ（Long-Term Evolution）無線通信技術であり得る。利用可能なスケジュールされた時間の部分は、複数のサブフレームであり得る。コントローラは、異なる複数のＨＡＲＱプロセスの間で、複数のアップリンクサブフレームのパンクチャを均等に分配するために、パンクチャのために利用可能にされる複数のアップリンクサブフレームを制限するように構成されることができる。さらに、デバイスは、メモリを含むことができ、コントローラは、メモリに格納される複数の結果に基づいて、パンクチャのために利用可能にされる複数のアップリンクサブフレームを制限するように構成され、複数の結果は、複数のＨＡＲＱプロセスに基づく複数のパンクチャパターンに対する事前のオフラインサーチのものである。
【００１１】
デバイスによって用いられる情報は、アップリンク制御情報（ＵＣＩ）を含むことができ、コントローラは、第１の局から第１の無線機への通信のダウンリンク性能の劣化を低減するために、ＵＣＩに基づいて、終端処理に利用可能であるスケジュールされた時間の部分を制限するように構成されることができる。さらに、コントローラは、第２の局から第２の無線機への通信を受信することを優先して、終端処理に利用可能にされるスケジュールされた時間の部分から複数の期間を除外するように構成されることができ、除外される複数の期間は、第１の無線機から第１の局への複数の肯定応答（ＡＣＫ）の伝送のためにスケジュールされた全ての期間、及びチャンネル状態情報（ＣＳＩ）の伝送のためにスケジュールされた複数の期間の少なくとも一部を含む。
【００１２】
説明される複数のシステム及び複数の技術の別の態様によれば、単一の通信デバイスにおいて共存する２又はより多い無線機のために実行される方法は、単一のデバイスが２又はより多い無線機のうちの第１の無線機を用いて、第１の局と通信する第１の無線機に対して指定される複数のアップリンク期間においてデータを送信する段階と、第１の無線機のためのアップリンク制御情報に基づいて、第１の局と通信する第１の無線機に対して指定される複数のアップリンク期間の適切な部分集合を決定する段階と、第１の局と通信する第１の無線機に対して指定される残りの複数のアップリンク期間より、複数のアップリンク期間の適切な部分集合のパンクチャを優先する段階と、単一のデバイスが、パンクチャのための複数のアップリンク期間の適切な部分集合のうちの１又は複数を選択する段階と、単一のデバイスが２又はより多い無線機のうちの第２の無線機を用いて、１又は複数のパンクチャされたアップリンク期間の間に、第２の局からデータを受信する段階とを含む。
【００１３】
決定する段階は、複数の再送要求プロセスに少なくとも部分的に基づいて、適切な部分集合を決定する段階を含むことができる。決定する段階は、単一のデバイスが、第１の無線機を用いる単一のデバイスと第１の局との間の再送要求プロトコルにおける全ての再送機会を自律的に用いない段階を含むことができる。さらに、複数のアップリンク期間は、複数のアップリンクサブフレームであり得、優先する段階は、異なる複数のハイブリッド自動再送要求（ＨＡＲＱ）プロセスの間で、複数のアップリンクサブフレームのパンクチャを均等に分配する段階を含むことができる。
【００１４】
決定する段階は、複数のハイブリッド自動再送要求（ＨＡＲＱ）プロセスに基づく複数のパンクチャパターンに対するオフラインサーチの結果である適切な部分集合を取得する段階を含むことができ、優先する段階は、適切な部分集合における複数のアップリンク期間だけをパンクチャのために利用可能にさせる段階を含むことができる。優先する段階は、複数のアップリンク期間のパンクチャからもたらされる第１の局から第１の無線機への通信のダウンリンク性能の劣化を低減する段階を含むことができる。さらに、優先する段階は、パンクチャのために利用可能なものから、（ｉ）第１の無線機から第１の局への複数の肯定応答（ＡＣＫ）に用いられる全てのアップリンク期間、及び（ｉｉ）チャンネル状態情報（ＣＳＩ）に用いられる複数のアップリンク期間の少なくとも一部を除外する段階を含むことができる。
【００１５】
説明される複数のシステム及び複数の技術の別の態様によれば、システムは、所与のモバイルデバイスを含む複数のモバイルデバイスの第１のセットと無線で通信するように構成される基地局と、所与のモバイルデバイスを含む複数のモバイルデバイスの第２のセットと無線で通信するように構成されるアクセスポイントとを含み、所与のモバイルデバイスは、それぞれの異なる複数の無線通信技術を用いて、基地局及びアクセスポイントと通信するように構成される共存する複数の無線機と、所与のモバイルデバイスと基地局との間で用いられる複数のアップリンク期間のそれぞれにおいて送信されるデータのタイプについての情報に基づいて、アクセスポイントからの受信を優先して、所与のモバイルデバイスと基地局との間で用いられるどのアップリンク期間がパンクチャのために利用可能であるかを制限する手段とを含む。情報は、複数のハイブリッド自動再送要求（ＨＡＲＱ）プロセス及びアップリンク制御情報（ＵＣＩ）を含むことができ、複数の無線通信技術は、それぞれ、ＬＴＥ（Long-Term Evolution）無線通信技術及びブルートゥース（又は他の）無線通信技術であり得る。
【００１６】
説明される複数のシステム及び複数の技術は、例えば、本明細書に開示される構造的な手段及びそれらの構造的な均等物等の電子回路、コンピュータハードウェア、ファームウェア、ソフトウェア、又はそれらの複数の組み合わせで実装されることができる。これは、１又は複数のデータ処理装置（例えば、プログラマブルハードウェアプロセッサを含む信号処理デバイス）に、説明される複数の動作を実行させるように動作可能なプログラムを具現化する少なくとも１つのコンピュータ可読媒体を含むことができる。従って、プログラムの実施例は、開示される方法、システム、又は装置を用いて実現されることができ、装置の実施例は、開示されるシステム、コンピュータ可読媒体、又は方法を用いて実現されることができる。同様に、方法の実施例は、開示されるシステム、コンピュータ可読媒体、又は装置を用いて実現されることができ、システムの実施例は、開示される方法、コンピュータ可読媒体、又は装置を用いて実現されることができる。
【００１７】
例えば、以下に開示される（複数の）実施形態は、これらに限定されないが、特定用途のデータ処理装置（例えば、無線アクセスポイント、リモート環境モニタ、ルータ、スイッチ、コンピュータシステムコンポーネント、媒体アクセスユニット）、モバイルデータ処理装置（例えば、無線クライアント、携帯電話、パーソナルデジタルアシスタント（ＰＤＡ）、モバイルコンピュータ、デジタルカメラ）、汎用のデータ処理装置（例えば、ミニコンピュータ、サーバ、メインフレーム、スーパーコンピュータ）、又はこれらの組み合わせを含む、様々なシステム及び装置で実装されることができる。
【００１８】
説明される複数のシステム及び複数の技術は、以下の複数の利点のうちの１又は複数をもたらすことができる。２つの無線機の間の干渉（例えば、ＬＴＥ  ＵＥのＵＬ伝送信号とＷｉＦｉの受信との間の干渉）からの保護が、より小さいコストで実装されることができる。説明される複数のシステム及び複数の技術は、複数のガードバンド及びフィルタリングの使用より非常に安価であり得、それは、完全に無線デバイスの制御内になくてよい。いくつかの場合において、その保護がそのような複数の局と通信する無線デバイスによって自律的に実装されることができるので、複数の無線局（例えば、ＬＴＥ  ｅＮＢ及びＷｉＦｉアクセスポイント）としてアップグレードが必要とされない。複数の局（例えば、ＬＴＥ  ｅＮＢ）のうちの１つとの通信は、劣化させられ得るが、局（例えば、ＬＴＥ  ｅＮＢ）での完全な受信の失敗は回避される。さらに、いくつかの実施例において、説明される複数のシステム及び複数の技術は、ハードウェアにおける複数の変更を必要とすることなしに、既存の複数の無線デバイスに加えられるプログラムコードで実装されることができる。
【００１９】
１又は複数の実施例の詳細が、添付の図面及び以下の説明において述べられる。他の特徴及び利点は、説明及び図面から、並びに請求項から明らかになるだろう。
【図面の簡単な説明】
【００２０】
【図１Ａ】無線通信システムの例を示す。
【００２１】
【図１Ｂ】無線通信ネットワークにおけるユーザ機器のための処理ハードウェアの例を示す。
【００２２】
【図２Ａ】無線通信フレームの例を示す。
【００２３】
【図２Ｂ】無線デバイスと２つの無線局との間の無線通信伝送の例を示す。
【００２４】
【図３Ａ】第２のタイプの無線通信を優先する第１のタイプの無線通信のためのアップリンク期間のパンクチャの例を示すフローチャートである。
【００２５】
【図３Ｂ】パンクチャのために利用可能にされる複数のアップリンク期間を制限する段階の例を示すフローチャートである。
【発明を実施するための形態】
【００２６】
図１Ａは、無線通信システム１００の例を示す。この例において、ＬＴＥ及びＷｉＦｉの２つの特定の無線技術の例だけが説明される。しかしながら、理解されるように、例えば、他のモバイル通信技術（ＭＣＴ）、ブルートゥース（ＢＴ）、及び近距離無線通信（ＮＦＣ）技術等の他の無線技術が、システム１００に追加されることができる。同様に、他の無線技術は、システム１００において説明されるものを置き換えることができ、例えば、他のＭＣＴ（例えば、ＨＳＰＡ、ＨＳＰＡ、ＷＣＤＭＡ（登録商標）、ＣＤＭＡ２０００、ＵＭＴＳ、ＧＳＭ（登録商標）等）でＬＴＥを置き換えること、及び他の無線ローカルエリアネットワーク（ＷＬＡＮ）技術でＷｉＦｉを置き換えること等ができる。
【００２７】
無線通信システム１００は、多数の無線セル、又は例えば、進化型ＮｏｄｅＢ（ｅＮＢ）基地局１１５等の基地局によってサービスが各々に提供される複数のセルで構成される１又は複数のセルラーネットワークを含むことができる。複数のセルは、広い領域にわたる無線カバレッジを提供すべく、異なる複数の領域をカバーするために用いられる。例えば、デバイス１０５等の複数の無線通信デバイスは、基地局によってサービスが提供されるセルラー無線カバレッジ領域において動作する。図１Ａに示される無線通信システム１００は、進化型ＵＭＴＳ地上無線アクセスネットワーク（ｅＵＴＲＡＮ）として知られている無線アクセスネットワーク（ＲＡＮ）に含まれる３つの基地局１１５（基地局の他の数は当然に可能である）を含む。図１ＡのＬＴＥの例において、複数の基地局は、ｅＮＢ基地局１１５として示され、ｅＵＴＲＡＮは、ｅＮＢ基地局１１５を含む。
【００２８】
基地局１１５は、例えば、フェムトセル、ピコセル等のモバイル環境において動作でき、又は基地局１１５は、他のモバイル及び／又は基地局のための信号を中継できるノードとして動作できる。複数の基地局１１５は、１又は複数の無線通信デバイス１０５に無線サービスを提供できる。複数の基地局１１５は、互いと、及び進化型パケットコア（ＥＰＣ）１２０と呼ばれるコアネットワークと通信できる。ＥＰＣ１２０は、例えば、インターネット等の１又は複数の外部ネットワーク１２５へのアクセスを伴う複数の無線通信デバイスを提供できる。ＥＰＣ１２０は、モビリティ管理エンティティ（ＭＭＥ）を含むことができる。ＭＭＥは、例えば、加入者及びセッションの管理に関連する複数の制御プレーン機能等の複数の機能性に対して責任を負う、ＥＰＣ１２０における主制御要素であり得る。
【００２９】
複数のｅＮＢ基地局１１５は、無線デバイス１０５と直接通信する。無線デバイス１０５は、携帯電話、パーソナルデジタルアシスタント（ＰＤＡ）、スマートフォン、ラップトップ、タブレットコンピュータ、又は他の無線通信デバイスであってよい。さらに、複数の無線デバイス１０５は、複数のページャ、複数のポータブルコンピュータ、複数のセッションイニシエーションプロトコル（ＳＩＰ）電話、複数のデバイス内の１又は複数のハードウェアベースのプロセッサ、又は無線技術を用いて情報を通信することが可能な他の好適な複数の処理デバイスを含むことができる。無線デバイス１０５は、無線デバイス１０５が対応するサービング局に関連付けられるセル内で操作される場合にサービスを受信するために、サービング基地局と直接通信できる。無線デバイス１０５は、サービング基地局に隣接する複数の基地局から無線信号も受信できる。一旦、無線接続が確立されると、無線デバイス１０５は、複数のリクエスト及びレスポンスを生成し、又はさもなければ、１又は複数のｅＮＢ基地局１１５を介して、ＥＰＣ１２０及び外部ネットワーク１２５と通信する。
【００３０】
無線接続が確立されることができる前に、無線デバイス１０５は、基地局１１５の存在を検出すべきである。各基地局１１５は、１又は複数の対応する同期信号を送信し、それは、無線デバイス１０５の距離、複数のチャネル状態、及び処理動作に応じて、無線デバイス１０５によって検出されてよい。一旦、同期信号が検出されると、無線デバイス１０５は、基地局１１５との同期通信に従事でき、ダウンリンク（基地局１１５から無線デバイス１０５への）及びアップリンク（無線デバイス１０５から基地局１１５への）通信は、これらの通信に対してスケジュールされる時間の部分の間に送信される。例えば、ＬＴＥにおいて、スケジュールされる部分は、複数のフレーム及び複数のサブフレームを含む。
【００３１】
無線デバイス１０５は、多くの周波数帯域にわたって無線周波数（ＲＦ）信号を受信でき、それのいくつかは、互いに干渉できる。例えば、無線デバイス１０５は、例えば、ＷｉＦｉアクセスポイント（ＡＰ）１１０等の異なる無線技術を用いて、別の無線局からＲＦ信号も受信できる。ＷｉＦｉ  ＡＰ１１０は、無線デバイス１０５の付近に、ローカルエリアネットワークへのアクセスを提供し、例えば、インターネット等の１又は複数の外部ネットワーク１３０へのアクセスも提供でき、それは、１又は複数の外部ネットワーク１２５のいくつか又は全てを含むことができる。さらに、無線デバイス１０５によってサポートされる２又はより多い無線通信の間の潜在的な干渉がある場合、無線デバイス１０５は、本開示において説明される複数のシステム及び複数の技術を用いて、そのような干渉を軽減できる。
【００３２】
図１Ｂは、無線通信ネットワークにおけるユーザ機器１５０のための処理ハードウェアの例を示す。ユーザ機器１５０は、図１Ａからの無線デバイス１０５であり得、送受信機電子装置、及び例えば、１又は複数のハードウェアプロセッサ等のプロセッサ電子装置を含み、それは、本開示において提示される複数のシステム及び複数の技術を実装する１又は複数の集積回路（ＩＣ）デバイスを含むことができる。これらの電子装置は、以下の複数のフィルタ、複数の増幅器、複数の周波数ダウンコンバータ、及び複数のアナログデジタルコンバータのそれぞれのうちの１又は複数を含むこともできる。送受信機電子装置は、１又は複数のアンテナ１５５ａ、１５５ｂを通じて無線信号を送信及び受信する。さらに、送受信機電子装置は、２又はより多い無線ユニットを含む。
【００３３】
これらの無線ユニットは、１又は複数のモデム１６０及び１又は複数のコントローラ１７０を用いて実装されることができる。図１Ｂに示されるように、異なる複数の無線ユニットは、無線機１６５ａ及び無線機１６５ｂとして表される。いくつかの実施例において、無線ユニットは、信号を送信及び受信するために、ベースバンドユニット（ＢＢＵ）及び無線周波数ユニット（ＲＦＵ）を含む。さらに、いくつかの実施例において、１又は複数のコントローラ１７０は、１つ又は複数のプロセッサを含み、それは、汎用のプログラマブルハードウェア、特定用途のプログラマブルハードウェア、又はその両方である。従って、ユーザ機器１５０はメモリ１７５を含むこともでき、それは、１又は複数の異なるメモリデバイスを含むことができ、それは、例えば、データ及び／又は複数の命令等の情報を格納するように構成される。いくつかの実施例において、１つ又は複数のプロセッサは、複数のマイクロプロセッサユニット、及び本開示で説明される複数の技術をもたらす組み込みプログラムコード（例えば、ファームウェア）を含むことができる。
【００３４】
いくつかの実施例において、ユーザ機器１５０は、送信のための専用回路、及び受信のための専用回路を含む。無線機１６５ａ、１６５ｂは、アンテナ１５５ａ、１５５ｂを共有でき、又は無線機１６５ａ、１６５ｂは、各々、それの使用に専用の１又は複数のアンテナ１５５ａ、１５５ｂを有することができる。ユーザ機器１５０は、例えば、シングル入力シングル出力（ＳＩＳＯ）、マルチ入力マルチ出力（ＭＩＭＯ）、ビットレベル合成、及びシンボルレベル合成等の様々な無線通信技術のために構成されることができる。ＭＩＭＯベースの無線通信デバイスは、ＯＦＤＭ信号の複数のトーンのそれぞれにおいて、複数のアンテナを通じて複数の空間ストリームを送信及び受信できる。さらに、ユーザ機器１５０は、「送信機」、「受信機」、又はそれが信号を送信も受信もする場合、「送受信機」と称されることができる。
【００３５】
無線機１６５ａ、１６５ｂ（図１Ｂにおいて「無線機１」及び「無線機２」）は、他のものと干渉し得る異なる複数の無線通信技術を用いる。これらの異なる無線通信技術は、様々なＭＣＴ（例えば、ＬＴＥ）、ＢＴ、ＷＬＡＮ（例えば、電気電子技術者協会（ＩＥＥＥ）８０２．１１規格群）、及びＮＦＣ技術を含むことができる。（複数の）コントローラ１７０は、第２の無線機１６５ｂ（例えば、ＷＬＡＮ又はＢＴ無線機）上で信号通信を受信することを優先して、第１の無線機１６５ａ（例えば、ＬＴＥ無線機）上で信号通信を送信するために、スケジュールされた時間の部分（例えば、複数のサブフレーム）を終端処理（例えば、パンクチャ）できる。
【００３６】
さらに、（複数の）コントローラ１７０は、利用可能なスケジュールされた時間の部分のそれぞれにおいて送信されるデータのタイプについての情報に基づいて、第１の無線機１６５ａ上で信号通信を送信するための全ての利用可能なスケジュールされた時間の部分のうちのどれが終端処理のために提供されるかを制限できる。例えば、いくつかの実施例において、メモリ１７５は、複数のＨＡＲＱプロセスに基づく複数のパターンに対する事前のオフラインサーチからの複数のパンクチャパターンサーチ結果（ＰＰＳＲ）を格納でき、（複数の）コントローラ１７０は、メモリ１７５に格納されるＰＰＳＲに基づくパンクチャのために利用可能にされた複数のアップリンクサブフレームを制限できる。さらに、いくつかの実施例において、第１の無線機１６５ａ（例えば、ＬＴＥ無線機）が送信するための高い優先度データを有する場合、第２の無線機１６５ｂ（例えば、ＷＬＡＮ又はＢＴ無線機）は、停止又は破損された受信を予期できる。
【００３７】
図２Ａは、無線通信フレーム２００の例を示す。この例において、フレーム２００は、１０個のサブフレーム２０５を有するＬＴＥ  ＴＤＤ（時分割二重）フレーム構造フレームである。このフレーム構造２００は、ＵＬ−ＤＬ構成０であり、複数のＳサブフレームは、ＤＬサブフレームからＵＬサブフレームへの遷移を提供し、ＤｗＰＴＳ（ダウンリンク部分）、ガード期間、及びＵｐＰＴＳ（アップリンク部分）の３つの部分を含む。いくつかの実施例において、複数のＵＬサブフレーム及び複数のＳサブフレームのアップリンク部分の両方は、見込みのパンクチャのために利用可能にされる。このフォーマットは、説明される複数のシステム及び複数の技術がＬＴＥ  ＦＤＤ（周波数分割二重）、並びに複数のフレーム、複数のサブフレーム、複数のスロット、及び伝送のためにスケジュールされる時間又は期間の他のタイプの部分の他のタイプで実装されることができるように、ほんの一例として示されるということに留意すべきである。特定のフォーマットにかかわらず、複数のサブフレーム２０５の部分２１０は、見込みのパンクチャのために利用可能にされることができる。例えば、複数のパンクチャ可能サブフレーム２１０は、ＨＡＲＱプロセス及びアップリンク制御情報（ＵＣＩ）に基づいて決定されることができる。さらに、どの複数のサブフレームをパンクチャするかの決定は、前の処理（例えば、複数のパターンに対するオフラインサーチ）、及び無線通信の間に実行される能動的な処理の両方に基づくことができる。
【００３８】
さらに、決定された複数のパンクチャ可能サブフレーム２１０は、それらが無線デバイスによってパンクチャされる機会を他の複数のサブフレームより増大することによって、又は決定された複数のパンクチャ可能サブフレーム２１０をパンクチャのために利用可能な複数のサブフレーム２０５だけにすることによって、パンクチャのために優先されてよい。いくつかの実施例において、複数のパンクチャ可能サブフレーム２１０が決定され、パンクチャ不可能サブフレーム２１５も決定される。例えば、複数のパンクチャ不可能サブフレーム２１５は、チャンネル状態情報（ＣＳＩ）及び複数の肯定応答（ＡＣＫ）の伝送のためにスケジュールされることができる。これらのタイプの伝送のアップリンク上での無線局への送信の失敗は、無線局からのダウンリンク上の性能の過度の劣化を引き起こし得、そのため、これらのサブフレームのパンクチャは、回避されるべきである。対照的に、ＡＣＫもＮＡＣＫも受信されない場合、無線局は、ほとんどの場合、デコードされていないメッセージを再度送信するので、無線デバイスからの複数のＮＡＣＫは、重大な結果を伴わずに、パンクチャされることができる。従って、これらのサブフレームが他の共存する複数の無線機と干渉するか否かだけに基づいて複数のＵＬサブフレームをパンクチャすることに代えて、これらのサブフレームにおいて送信されたデータについてのいくつかの情報が、ＬＴＥ側の性能の劣化を最小化するために利用されることができる。
【００３９】
図２Ｂは、無線デバイス２５０と２つの無線局２６０、２７０との間の無線通信伝送の例を示す。無線デバイス２５０は、１つ又は複数のプロセッサ２５２及びメモリ２５４を含み、それは、複数のＨＡＲＱプロセスを追跡するために用いられることができる。この例において、無線デバイス２５０は、再送のためにＨＡＲＱを用いる。しかしながら、他の複数の再送要求プロトコルが用いられることができる。
【００４０】
ＨＡＲＱは、送信されたが誤って受信された複数のトランスポートブロック（即ち、複数のデータパケット）の再送によって、正確な受信を確保するために設計される。受信機から送信機への肯定応答（ＡＣＫ）又は否定応答（ＮＡＣＫ）シグナリングは、受信が成功したか否かの通知を提供する。図２Ｂに示される例において、第１の局２６０（例えば、セルネットワーク基地局）は、無線通信２６５を無線デバイス２５０と交換し、ＨＡＲＱ処理が、どの伝送が成功しているか及びどれが再送される必要があるかを追跡するために用いられる。
【００４１】
ＨＡＲＱプロセス＃ｉのための最初の伝送は、デバイス２５０から局２６０に送信される。ＨＡＲＱプロセス番号は、パケット又は時刻によって追跡されることができ、多数のＨＡＲＱプロセスが追跡されることができる。従って、ＨＡＲＱプロセス＃ｊのための最初の伝送も、任意のＡＣＫ又はＮＡＣＫがプロセス＃ｉに対して受信される前に、デバイス２５０から局２６０に送信される。各異なるＨＡＲＱプロセス番号は、送信及び受信のスケジューリングの異なる時刻を有することができ、異なるコンテンツ（例えば、ハイパーテキスト転送プロトコル（ＨＴＴＰ）通信又はボイスオーバーインターネットプロトコル（ＶＯＩＰ）通信）又は同一のコンテンツ（例えば、断片に分割された大きいパケット）を有することができる。
【００４２】
示される例において、局２６０は、プロセス＃ｉを成功裏に受信しないが、プロセス＃ｊを成功裏に受信する。従って、局２６０は、プロセス＃ｉのためのＮＡＣＫ及びプロセス＃ｊのためのＡＣＫを送信する。デバイス２５０がＡＣＫ及びＮＡＣＫの両方を成功裏に受信する場合、デバイス２５０は、プロセス＃ｉのための再送を送信し、デバイス２５０は、ＨＡＲＱプロセス＃ｊを用いて、異なるデータのための新しい伝送をスケジュールする。当然に、例えば、ＨＡＲＱプロセス＃ｋのための最初の伝送等の他の複数のＨＡＲＱプロセスもスケジュールされることができる。
【００４３】
無線デバイス２５０は、例えば、複数のＬＴＥ  ＵＬサブフレームのための異なる複数のＨＡＲＱプロセスを含むどのサブフレームで何のデータが送信されるかを示す複数の記録を有する。この情報は、重大な結果を伴わずに、第２の無線局２７０（例えば、ＷｉＦｉ  ＡＰ及び／又はＢＴデバイス）からの通信２７５を受信することを優先して、どのＨＡＲＱプロセスデータが破棄されることができるか決定するために用いられることができる。無線デバイス２５０から第１の局２６０に送信されるアップリンクデータに関連する複数のＨＡＲＱプロセスに加えて、第１の局２６０から無線デバイス２５０に送信されるダウンリンクデータに関連する複数のＨＡＲＱプロセスもある。図２Ｂを見ると、この状況は、（同一の方向でなおも経過する時間で）無線通信の交換２６５の方向を逆にすることによって可視化されることができる。そのような状況において、上で述べたように、プロセス＃ｉに関して、そのＨＡＲＱプロセスのためにＡＣＫもＮＡＣＫも受信されない場合に、局２６０がプロセス＃ｉのための再送を送信する可能性が高いので、（無線デバイス２５０から第１の局２６０への）ＮＡＣＫの送信は、不必要であるとして扱われてよい。
【００４４】
ＵＥが送信したものをｅＮＢが正確にデコードしない場合、ＬＴＥ  ＵＥモデムは、各ＨＡＲＱプロセスのためのデータを再送する機会を有する。ｅＮＢからの協力なしで、ＬＴＥ  ＵＥは、この再送を有効に利用でき、全ての機会を自律的に用いない（即ち、同一のＨＡＲＱプロセスからのいくつかのＵＬサブフレーム伝送をドロップする）。これは、これらのサブフレームだけが他の複数の無線機に対する受信の機会である場合、他の複数の無線機にそのような複数のサブフレームにおいて受信させる。このＵＥの自律的な方法は、ＵＬのスループットを低減させ得るが、それは、無線デバイスにおいて共存する複数の無線機の間の干渉の問題に対処するための安価なソリューションである。
【００４５】
さらに、ＵＬのドロップを異なる複数のＨＡＲＱ再送／プロセスに分配することが望まれ得る。ＵＬ伝送が同期するので、どのサブフレームがどのＨＡＲＱプロセスに属するかが事前に知られている。無線デバイス２５０は、所与のＨＡＲＱプロセスのために送信するときを示す複数の記録を有し、それのダウンリンクサブフレームにおいて、第１の局２６０からのＡＣＫ／ＮＡＣＫが受信されるべきであり、ＮＡＣＫが受信される場合、それの次のサブフレームがＵＬデータを再送するために用いられるべきである。この情報を用いて、異なる複数のＨＡＲＱプロセスの間で均等に、複数のＵＬサブフレームのパンクチャが、実装されることができる。言い換えれば、パンクチャは、複数の再送プロセスにわたって分配されることができ、それは、それによって、デバイス２５０から局２６０に送信される異なる複数のデータセットにわたってパンクチャを分配し得る。
【００４６】
さらに、所与の共存の実施例に対して、オフラインの広範なサーチが、複数のＨＡＲＱプロセスに基づいて、複数のパンクチャパターンを見つけるために用いられることができる。無線デバイス２５０が動作することを開始する前に、どの複数のサブフレームをパンクチャするかに応じたベースのパンクチャパターンが決定されることができる。オフラインサーチは、アプリケーションシナリオに基づいて、最適なパターンを見つけるために用いられることができる。複数の無線機の共存は、様々な実施例において、異なる複数のアプリケーションシナリオを有し得るということに留意すべきである。例えば、無線デバイス２５０におけるＬＴＥ  ＵＥは、ＬＴＥ基地局２６０から音声データを受信し得、無線デバイス２５０におけるＢＴ  ＵＥは、無線デバイス２５０のハンズフリー動作を提供するために、ＢＴヘッドフォン２７０を用い得る。別の例として、ＷｉＦｉ  ＡＰ２７０を介してデータをダウンロードしている間も、無線デバイス２５０におけるＬＴＥ  ＵＥは、ＬＴＥ基地局２６０から音声データを受信し得る。
【００４７】
異なる複数のアプリケーションシナリオに基づいて、サーチは、各アプリケーションシナリオのそれぞれに対する最善の異なる開始の複数のパンクチャパターンを見つけるためになされることができる。例えば、第１のアプリケーションのために、固定された数のサブフレームのうちの１又は２がパンクチャ可能であるが、残りの複数のサブフレームがそうでないことが決定されてよく、それに対して、別のアプリケーションのために、各フレームの第１のサブフレームだけがパンクチャ可能であることが決定されてよい。さらに、複数のパンクチャパターンは、問題となっている第２の無線機のタイプによって変化できる。例えば、ＬＴＥ及びＢＴを伴う場合、それのデータを受信することの１００％近い変更をＢＴに与えることが望ましくてよく、そのため、ＨＡＲＱパターンは、このために決定されることができるが、それから、無線デバイスは、動作状態に基づいて、必要に応じて、ＢＴのために受信を完全なものに維持することから手を引くことができる。
【００４８】
そのようなパンクチャパターンのサーチの複数の結果は、動作中の無線デバイス２５０による使用のために、メモリ２５４に格納されることができる。ＬＴＥと共存する複数の無線機との間のタイミングオフセットが特定の範囲内にある場合に、最善の複数のパンクチャパターンが発生できるということに留意すべきである。しかしながら、異なる複数の無線機の間の正確な時刻同期及び／又はフレームアライメントは必要でなくてよい。例えば、ＢＴ及びＬＴＥは異なる複数のクロックレートを有し、ＢＴは複数のスロットを有し、これに反して、ＬＴＥは複数のサブフレームを有し、これらの期間は異なる。従って、ＢＴのスロットの境界及びＬＴＥサブフレームの境界は、完全に共に合っていなくてよい。それでもなお、それぞれの異なる複数の無線機のスケジュールされた時間の部分が合わせられない場合でさえ、機能する複数のパンクチャパターンが特定されることができることがわかる。さらに、最善の複数のパンクチャパターンのいくつかは、完全なアライメントなしで発生することができる。例えば、それぞれの異なる複数の無線機のスケジュールされた時間の部分の間のオフセットが０．３ｍｓであってよく、この場合において、ＬＴＥのためのパンクチャレートは、最小のものであり得る。
【００４９】
図３Ａは、第２のタイプの無線通信（例えば、ＷｉＦｉ又はＢＴ通信）を優先する第１のタイプの無線通信（例えば、ＬＴＥ通信）のためのアップリンク期間のパンクチャの例を示すフローチャートである。３００において、２又はより多い共存する無線機を含む単一のデバイスは、第１の局と通信する第１の無線機に対して指定される複数のアップリンク期間（例えば、複数のＬＴＥサブフレーム）において、（２又はより多い無線機のうちの第１の無線機を用いて）データを送信する。このデータは、ユーザデータ（例えば、ＬＴＥ基地局に送信される音声データ）、制御データ（例えば、ＬＴＥチャンネル状態情報）、又はその両方を含むことができる。
【００５０】
３０５において、第１の局と通信する第１の無線機に対して指定される複数のアップリンク期間の適切な部分集合は、複数のＨＡＲＱプロセスの情報及びアップリンク制御情報（ＵＣＩ）に基づいて決定されることができる。ＵＣＩは、チャンネル状態情報（ＣＳＩ）及びＡＣＫ／ＮＡＣＫ情報を含むことができる。いくつかの実施例において、この決定は、概して、例えば、複数のＨＡＲＱプロセス等の複数の再送要求プロセスに基づくことができる。いくつかの実施例において、この決定は、例えば、１又は複数のアプリケーションシナリオのための１又は複数の適切な部分集合（例えば、複数のパンクチャパターン）を見つけるために実行されるオフラインサーチによる等の動作デバイスによるデータの送信より先に実行されることができる。
【００５１】
３１０において、複数のアップリンク期間の適切な部分集合のパンクチャは、第１の局と通信する第１の無線機に対して指定される残りの複数のアップリンク期間より優先される。これは、適切な部分集合における複数のアップリンク期間が残りの複数のアップリンク期間を上回ってパンクチャされる可能性を増大することを含むことができるが、残りの複数のアップリンク期間（又は少なくともそれらのいくつか）がさらにパンクチャされてよい。従って、複数のアップリンク期間は、パンクチャに関する異なる処理のための複数のグループ（例えば、パンクチャのために好まれる第１のグループ、パンクチャされるであろう第２のグループ、及びパンクチャされないであろう第３のグループ）に分類されることができる。代替的に、適切な部分集合のこの優先する段階は、適切な部分集合における複数のアップリンク期間だけをパンクチャのために利用可能にすることを含むことができる。さらに、３１０における優先する段階は、異なる複数のプロセス（例えば、異なる複数のＨＡＲＱプロセス）の間で、複数のアップリンク期間のパンクチャを均等に分配することを含むことができる。
【００５２】
３１５において、複数のアップリンク期間の適切な部分集合のうちの１又は複数は、パンクチャのために選択される。この選択は、様々な実施例において、様々な要因によって支配されることができる。例えば、その選択は、例えば、単一のデバイスにおける２又はより多い無線機のうちの第２の無線機によって受信されなければならないいくつかの重要情報がある場合に、パンクチャするために適切な部分集合から複数のアップリンク期間を選択すること等の無線通信に関連する優先情報に基づくことができる。別の例として、適切な部分集合からの複数のアップリンク期間は、これらの期間において第２の無線機に受信させるために、ランダムにパンクチャされることができる。さらに、パンクチャするためのアップリンク期間の数は、第１の無線機を用いる無線通信の性質及び第２の無線機を用いる無線通信の性質に関する情報に基づいて変動させられることができる。
【００５３】
いくつかの実施例において、３０５における決定する段階のうちの２又はより多く、３１０における優先する段階、及び３１５における選択する段階は、単一の動作に統合されることができる。本明細書で説明されるこれらの及び他の複数のシステム及び複数の方法は、概して、単一のデバイスと第１の局との間で用いられる複数のアップリンク期間のそれぞれにおいて送信されるデータのタイプについての情報に基づいて、第２の局（例えば、ＷｉＦｉ  ＡＰ）からの受信を優先して、単一のデバイス（例えば、スマートフォン）と第１の局（例えば、ＬＴＥ基地局）との間で用いられる複数のアップリンク期間の部分のうちのどれがパンクチャのために利用可能であるかを制限するためのアルゴリズムの実施例として理解されることができる。
【００５４】
いくつかの実施例において、単一のデバイスは、第１の局からの協力なしで、第１の無線機を用いるデバイスと第１の局との間の再送要求プロトコルにおける全ての再送機会を用いないことによって、パンクチャのために利用可能である複数のアップリンク期間を制限できる。いくつかの実施例において、単一のデバイスは、異なる複数のＨＡＲＱプロセスの間で、複数のアップリンクサブフレームのパンクチャを均等に分配するために、パンクチャのために利用可能である複数のアップリンク期間を制限できる。いくつかの実施例において、単一のデバイスは、第１の局から第１の無線機への通信のダウンリンク性能の劣化を低減するために、ＵＣＩに基づいて、パンクチャのために利用可能である複数のアップリンク期間を制限できる。いずれの場合においても、３２０において、データは、１又は複数のパンクチャされたアップリンク期間の間に、第２の無線機を用いて第２の局から受信される。
【００５５】
図３Ｂは、パンクチャのために利用可能にされる複数のアップリンク期間を制限する段階の例を示すフローチャートである。３５０において、チェックは、アップリンク期間のパンクチャにおいて用いられるための複数のパターンに対する事前のオフラインサーチの複数の結果に対して行われることができる。上で述べたように、これらのパターンは、複数のＨＡＲＱプロセスに基づくことができる。３５５において、複数のアップリンク期間の適切な部分集合を示すそのようなパターンデータは、デバイスの複数のオンライン動作における使用のために取得されることができる。
【００５６】
３６０において、単一のデバイスは、第２の無線機上での受信を優先して、ドロップするための第１の無線機の複数の再送機会を自律的に選択する。第１の無線機を用いる単一のデバイスと第１の局との間の再送要求プロトコル（例えば、ＨＡＲＱ）における全ての再送機会を用いないことによって、第１の無線機のための性能は、第２の無線機上での受信を優先して、若干劣化させられる。
【００５７】
３６５において、チェックは、アップリンク期間のパンクチャによって引き起こされる任意の潜在的なダウンリンク性能の劣化に関して行われることができる。これは、前のオフラインサーチの間、又は積極的には、無線デバイスの動作の間に行われることができる。３７０において、そのようなダウンリンク性能の劣化は、パンクチャのために利用可能である複数のアップリンク期間の適切な部分集合からの複数のＣＳＩ及びＡＣＫメッセージに用いられる複数のアップリンク期間を除外することによって、低減させられることができる。このＵＣＩは、ダウンリンク性能に対して重要であり、ドロップされるべきでない。しかしながら、ダウンリンクの受信に関連するいくつかの他のＵＣＩ（例えば、ＮＡＣＫ）は、送信される必要がなく、この非伝送は、ダウンリンク性能に重大な影響を有しないだろう。最後に、３８０において、第１の無線機の複数のアップリンク期間がパンクチャされ、データは、パンクチャされた複数のアップリンク期間の間に、第２の無線機上で受信される。
【００５８】
いくつかの実施形態が上で詳細に説明され、様々な変形が可能である。開示される主題は、本明細書で説明される機能的な複数の動作を含み、例えば、本明細書に開示される構造的な手段及びそれらの構造的な均等物等の電子回路、コンピュータハードウェア、ファームウェア、ソフトウェア、又はそれらの組み合わせで実装されることができ、（例えば、メモリデバイス、ストレージデバイス、機械可読ストレージ基板、又は他の物理的な機械可読媒体、又はそれらのうちの１又は複数の組み合わせであり得るコンピュータ可読媒体の中のエンコードされたプログラム等の）説明される複数の動作を１又は複数のデータ処理装置に実行させるように動作可能なプログラムを潜在的に含む。
【００５９】
用語「データ処理装置」は、データを処理するための全ての装置、デバイス、及び機械を包含し、例として、プログラマブルプロセッサ、コンピュータ、又は複数のプロセッサ若しくはコンピュータを含む。装置は、ハードウェアに加えて、問題のコンピュータプログラムのための実行環境を生成するコード、例えば、プロセッサファームウェア、プロトコルスタック、データベース管理システム、オペレーティングシステム、又はそれらのうちの１又は複数の組み合わせを構成するコードを含むことができる。
【００６０】
プログラム（コンピュータプログラム、ソフトウェア、ソフトウェアアプリケーション、スクリプト、又はコードとしても知られている）は、コンパイラ型若しくはインタプリタ型言語、又は宣言型若しくは手続き型言語を含むプログラミング言語の任意の形式で書かれることができ、それは、スタンドアロンプログラムとして又はモジュールとして、コンポーネント、サブルーチン、又はコンピューティング環境における使用のために好適な他のユニットを含む任意の形式で配置されることができる。プログラムは、必ずしもファイルシステムにおけるファイルに対応しない。プログラムは、他のプログラム又はデータ（例えば、マークアップ言語ドキュメントで格納される１又は複数のスクリプト）を保持するファイルの一部に、問題のプログラムに専用の単一のファイルに、又は複数の連携ファイル（例えば、１又は複数のモジュール、サブプログラム、又はコードの部分を格納するファイル）に格納されることができる。プログラムは、１つのコンピュータ上で、又は１つの場所に位置する、若しくは複数の場所に渡って分配されて通信ネットワークによって相互接続される複数のコンピュータ上で実行されるように配置されることができる。
【００６１】
本明細書は、多くの詳細を含むが、これらは、特許請求され得るものの範囲についての限定としてではなく、むしろ、特定の実施形態に特有であり得る特徴の説明として解釈されるべきである。別個の実施形態の文脈において本明細書で説明される特定の特徴は、単一の実施形態において組み合わせて実装されることもできる。逆に、単一の実施形態の文脈において説明される様々な特徴は、複数の実施形態で別々に、又は任意の好適なサブコンビネーションで実装されることもできる。さらに、特徴は、特定の組み合わせで動作するものとして上で説明され、さらに最初にそのように特許請求され得るが、特許請求される組み合わせからの１又は複数の特徴は、いくつかの場合において、組み合わせから削除されることができ、特許請求される組み合わせは、サブコンビネーション又はサブコンビネーションの変更を対象にしてよい。
【００６２】
同様に、複数の動作が特定の順序で図面に描かれるが、これは、所望の結果を実現するために、そのような複数の動作が示される特定の順序で又は逐次的な順序で実行される、又は全ての示される動作が実行される必要があると理解されるべきでない。特定の状況において、マルチタスクおよび並列処理が有利であり得る。さらに、上で説明された実施形態における様々なシステムコンポーネントの分離は、全ての実施形態において、そのような分離が必要とされると理解されるべきでない。
【００６３】
他の実施形態は、以下の請求項の範囲内に入る。
［項目１］
第１の無線通信技術に従って第１の局と無線で通信するように構成される第１の無線機と、
第２の無線通信技術に従って第２の局と無線で通信するように構成される第２の無線機と、
（ｉ）前記第２の局から前記第２の無線機への通信を受信することを優先して、前記第１の無線機から前記第１の局への通信を送信するためのスケジュールされた時間の部分を終端処理し、（ｉｉ）前記第１の無線機から前記第１の局への通信を送信するための全ての利用可能なスケジュールされた時間の部分のうちのどれが終端処理のために提供されるかを、前記利用可能なスケジュールされた時間の部分のそれぞれにおいて送信されるデータのタイプについての情報に基づいて制限するように構成されるコントローラと
を備えるデバイス。
［項目２］
前記情報は、複数のハイブリッド自動再送要求（ＨＡＲＱ）プロセス及びアップリンク制御情報（ＵＣＩ）を備える、項目１に記載のデバイス。
［項目３］
前記コントローラは、前記第１の局からの協力なしで、前記第１の無線機を用いる前記デバイスと前記第１の局との間の再送要求プロトコルにおける全ての再送機会を用いないことによって、終端処理に利用可能である前記スケジュールされた時間の部分を制限するように構成される、項目１又は２に記載のデバイス。
［項目４］
前記コントローラは、複数のＨＡＲＱプロセスに基づいて、終端処理に利用可能である前記スケジュールされた時間の部分を制限するように構成される、項目１から３のいずれか一項に記載のデバイス。
［項目５］
前記第１の無線通信技術は、ＬＴＥ（Long-Term Evolution）無線通信技術である、項目４に記載のデバイス。
［項目６］
前記利用可能なスケジュールされた時間の部分は、複数のサブフレームである、項目４又は５に記載のデバイス。
［項目７］
前記コントローラは、異なる複数のＨＡＲＱプロセスの間で、複数のアップリンクサブフレームのパンクチャを均等に分配するために、パンクチャのために利用可能にされる前記複数のアップリンクサブフレームを制限するように構成される、項目６に記載のデバイス。
［項目８］
メモリ
を備え、
前記コントローラは、前記メモリに格納される複数の結果に基づいて、パンクチャのために利用可能にされる複数のアップリンクサブフレームを制限するように構成され、
前記複数の結果は、複数のＨＡＲＱプロセスに基づく複数のパンクチャパターンに対する事前のオフラインサーチのものである、項目６又は７に記載のデバイス。
［項目９］
前記情報は、アップリンク制御情報（ＵＣＩ）を備え、
前記コントローラは、前記第１の局から前記第１の無線機への通信のダウンリンク性能の劣化を低減するために、前記ＵＣＩに基づいて、終端処理に利用可能である前記スケジュールされた時間の部分を制限するように構成される、項目１から８のいずれか一項に記載のデバイス。
［項目１０］
前記コントローラは、前記第２の局から前記第２の無線機への通信を受信することを優先して、終端処理に利用可能にされる前記スケジュールされた時間の部分から複数の期間を除外するように構成され、
除外される前記複数の期間は、前記第１の無線機から前記第１の局への複数の肯定応答（ＡＣＫ）の伝送のためにスケジュールされた全ての期間、及びチャンネル状態情報（ＣＳＩ）の伝送のためにスケジュールされた複数の期間の少なくとも一部を備える、項目９に記載のデバイス。
［項目１１］
単一の通信デバイスにおいて共存する２又はより多い無線機のために実行される方法であって、
前記単一の通信デバイスが前記２又はより多い無線機のうちの第１の無線機を用いて、第１の局と通信する前記第１の無線機に対して指定される複数のアップリンク期間においてデータを送信する段階と、
前記第１の無線機のためのアップリンク制御情報に基づいて、前記第１の局と通信する前記第１の無線機に対して指定される複数のアップリンク期間の適切な部分集合を決定する段階と、
前記第１の局と通信する前記第１の無線機に対して指定される残りの複数のアップリンク期間より、複数のアップリンク期間の前記適切な部分集合のパンクチャを優先する段階と、
前記単一の通信デバイスが、パンクチャのための複数のアップリンク期間の前記適切な部分集合のうちの１又は複数を選択する段階と、
前記単一の通信デバイスが前記２又はより多い無線機のうちの第２の無線機を用いて、前記１又は複数のパンクチャされたアップリンク期間の間に、第２の局からデータを受信する段階と
を備える方法。
［項目１２］
前記決定する段階は、複数の再送要求プロセスに少なくとも部分的に基づいて、前記適切な部分集合を決定する段階を備える、項目１１に記載の方法。
［項目１３］
前記決定する段階は、前記単一の通信デバイスが、前記第１の無線機を用いる前記単一の通信デバイスと前記第１の局との間の再送要求プロトコルにおける全ての再送機会を自律的に用いない段階を備える、項目１１又は１２に記載の方法。
［項目１４］
前記複数のアップリンク期間は、複数のアップリンクサブフレームであり、前記優先する段階は、異なる複数のハイブリッド自動再送要求（ＨＡＲＱ）プロセスの間で、前記複数のアップリンクサブフレームのパンクチャを均等に分配する段階を備える、項目１１から１３のいずれか一項に記載の方法。
［項目１５］
前記決定する段階は、複数のハイブリッド自動再送要求（ＨＡＲＱ）プロセスに基づく複数のパンクチャパターンに対するオフラインサーチの結果である前記適切な部分集合を取得する段階を備え、
前記優先する段階は、前記適切な部分集合における複数のアップリンク期間だけをパンクチャのために利用可能にさせる段階を備える、項目１１から１４のいずれか一項に記載の方法。
［項目１６］
前記優先する段階は、複数のアップリンク期間のパンクチャからもたらされる前記第１の局から前記第１の無線機への通信のダウンリンク性能の劣化を低減する段階を備える、項目１１から１５のいずれか一項に記載の方法。
［項目１７］
前記優先する段階は、パンクチャのために利用可能なものから、（ｉ）前記第１の無線機から前記第１の局への複数の肯定応答（ＡＣＫ）に用いられる全てのアップリンク期間、及び（ｉｉ）チャンネル状態情報（ＣＳＩ）に用いられる複数のアップリンク期間の少なくとも一部を除外する段階を備える、項目１６に記載の方法。
［項目１８］
システムであって、
所与のモバイルデバイスを含む複数のモバイルデバイスの第１のセットと無線で通信するように構成される基地局と、
前記所与のモバイルデバイスを含む複数のモバイルデバイスの第２のセットと無線で通信するように構成されるアクセスポイントと
を備え、
前記所与のモバイルデバイスは、
それぞれの異なる複数の無線通信技術を用いて、前記基地局及び前記アクセスポイントと通信するように構成される共存する複数の無線機と、
前記所与のモバイルデバイスと前記基地局との間で用いられる複数のアップリンク期間のそれぞれにおいて送信されるデータのタイプについての情報に基づいて、前記アクセスポイントからの受信を優先して、前記所与のモバイルデバイスと前記基地局との間で用いられるどのアップリンク期間がパンクチャのために利用可能であるかを制限する手段と
を備える、システム。
［項目１９］
前記情報は、複数のハイブリッド自動再送要求（ＨＡＲＱ）プロセス及びアップリンク制御情報（ＵＣＩ）を備える、項目１８に記載のシステム。
［項目２０］
前記複数の無線通信技術は、それぞれ、ＬＴＥ（Long-Term Evolution）無線通信技術及びブルートゥース無線通信技術である、項目１８又は１９に記載のシステム。
【図１Ａ】
0006395006.tif 000002
【図１Ｂ】
0006395006.tif 000003
【図２Ａ】
0006395006.tif 000004
【図２Ｂ】
0006395006.tif 000005
【図３Ａ】
0006395006.tif 000006
【図３Ｂ】
0006395006.tif 000007